(57)【要約】【課題】本体とディスプレイユニットが分離した場合に、情報処理装置をシャットダウンすることなく、情報処理装置を保護すること。【解決手段】本体１１に設けられ、ディスプレイユニットとの分離を検出した場合に、本コンピュータ１０をスリープ状態にして良いか否かを判定する判定モジュール３０１と、スリープ状態にして良いと判定した場合に、本コンピュータ１０をスリープ状態にするスリープ指示モジュール３０３およびオペレーティングシステム２０１と、スリープ状態にしてはいけないと判定した場合に、ＵＳＢポートに接続されるＵＳＢメモリ２１０とコントローラ１１９Ａとの通信を禁止し、入力装置３２１から本コンピュータ１０への信号の入力を無効する。【選択図】    図４
2010277449.tif 000002
【特許請求の範囲】
【請求項１】
ディスプレイユニットが分離および結合可能であると共に、演算処理を行うプロセッサを有する情報処理装置であって、
前記プロセッサにデータを入力する入力装置と、
外部機器が接続されるポートと、
前記ポートに接続される外部機器と通信を行うコントローラと、
前記ディスプレイユニットとの結合および分離を検出する検出回路と、
前記検出回路が前記ディスプレイユニットとの分離を検出した場合に、前記情報処理装置をスリープ状態に移行させても良いか否かを判定する判定手段と、
前記判定手段がスリープ状態に移行させて良いと判定した場合に、前記情報処理装置をスリープ状態に移行させる手段と、
前記判定手段がスリープ状態に移行させてはいけないと判定した場合に、前記ポートに接続される外部機器と前記コントローラとの通信を禁止し、前記入力装置から前記プロセッサへの前記データの入力を無効化するロック手段とを具備することを特徴とする情報処理装置。
【請求項２】
前記通信が禁止され、前記信号の入力が無効化されている状態で前記ディスプレイユニットとの結合が検出された場合に、前記データの入力の無効化を解除する手段と、
前記データの入力の無効化が解除された状態で認証処理を実行する認証処理手段と、
前記認証処理手段による前記認証処理が成功した場合に、前記外部機器と前記コントローラとの通信を許可する通信許可手段とを更に具備することを特徴とする請求項１に記載の情報処理装置。
【請求項３】
前記情報処理装置がスリープ状態で前記ディスプレイユニットとの結合が検出された場合に、前記情報処理装置をスリープ状態から復帰させ、認証処理を行う認証処理手段とを具備し、
前記認証処理手段による前記認証処理が成功した場合に、ユーザによる前記情報処理装置の使用を許可する手段とを更に具備することを特徴とする請求項１に記載の情報処理装置。
【請求項４】
前記判定手段は、前記プロセッサの使用率が設定値より低い場合に、前記情報処理装置をスリープ状態にして良いと判定することを特徴とする請求項１に記載の情報処理装置。
【請求項５】
前記ディスプレイユニットとのが分離が検出されている場合に前記ディスプレイユニットに対して映像信号を無線通信によって伝送する映像信号無線伝送部を更に具備することを特徴とする請求項１に記載の情報処理装置。
【請求項６】
前記映像信号無線伝送部は、ワイヤレスＨＤＭＩまたはワイヤレスＵＳＢの仕様に基づいて前記映像信号を伝送することを特徴とする請求項５に記載の映像処理装置。
【請求項７】
ディスプレイユニットが分離および結合可能であると共に、演算処理を行うプロセッサを有する情報処理装置の制御方法であって、
前記ディスプレイユニットの分離を検出し、
前記分離の検出に応じて、前記情報処理装置をスリープ状態に移行させて良いか否かを判定し、
前記スリープ状態に移行させて良いと判定した場合に、前記情報処理装置をスリープ状態にし、
前記スリープ状態に移行させてはいけないと判定した場合に、前記情報処理装置に設けられたポートに接続される外部機器と前記情報処理装置に設けられたコントローラとの通信を禁止し、入力装置から前記プロセッサへのデータの入力を無効化することを特徴とする情報処理装置の制御方法。
【請求項８】
前記通信が禁止され、前記データの入力が無効化されている状態で前記ディスプレイユニットとの結合を検出した場合に、前記データの入力の無効化を解除して認証処理を実行し、
前記認証処理が成功した場合に、前記外部機器と前記コントローラとの通信を許可することを特徴とする請求項７に記載の情報処理装置の制御方法。
【請求項９】
前記情報処理装置がスリープ状態で前記ディスプレイユニットとの結合を検出した場合に、前記情報処理装置をスリープ状態から復帰させて認証処理を実行し、
前記認証処理が成功した場合に、ユーザによる前記情報処理装置の使用を許可することを特徴とする請求項７に記載の情報処理装置の制御方法。
【請求項１０】
前記情報処理装置をスリープ状態に移行させて良いか否かの判定は、前記プロセッサの使用率に基づいて行われることを特徴とする請求項７に記載の情報処理装置の制御方法。
【発明の詳細な説明】
【技術分野】
【０００１】
本発明は、ディスプレイユニットと本体とが分離可能な情報処理装置および情報処理装置の制御方法に関する。
【背景技術】
【０００２】
近年、本体とディスプレイユニットとが分離／結合が可能であるコンピュータが開発されている。  
ディスプレイユニットが本体から分離された場合、コンピュータを制御することは困難となる。しかしながら、ディスプレイユニットが本体から分離された状態でそのまま放置しておくことは、セキュリティ上、危険である。とはいえ、セキュリティのために、ディスプレイユニットが分離された場合に無作為にコンピュータをシャットダウンするのでは、作業中のデータを失う危険性がある。
【０００３】
特許文献１は、ディスプレイユニットが本体から分離した際、省電力状態、および、停止状態にすることを開示している。
【先行技術文献】
【特許文献】
【０００４】
【特許文献１】特開２００６−２５８９８８公報（請求項１６、請求項１７）
【発明の概要】
【発明が解決しようとする課題】
【０００５】
システム起動中の省電力状態は、セキュリティの面では、不十分であり、第３者が情報機器にアクセスすることを抑制することはできない。また、ディスプレイユニット分離後、システムが動作しない省電力状態、および、停止状態にした場合、引き続き、情報機器に作業をさせることが不可能となる。
【０００６】
本発明の目的は、本体とディスプレイユニットが分離した場合に、情報処理装置をシャットダウンすることなく、情報処理装置を保護することが可能な情報処理装置および情報処理装置の制御方法を提供することにある。
【課題を解決するための手段】
【０００７】
本発明の一例に係わる、ディスプレイユニットが分離および結合可能であると共に、演算処理を行うプロセッサを有する情報処理装置は、前記プロセッサにデータを入力する入力装置と、外部機器が接続されるポートと、前記ポートに接続される外部機器と通信を行うコントローラと、前記ディスプレイユニットとの結合および分離を検出する検出回路と、前記検出回路が前記ディスプレイユニットとの分離を検出した場合に、前記情報処理装置をスリープ状態に移行させても良いか否かを判定する判定手段と、前記判定手段がスリープ状態に移行させて良いと判定した場合に、前記情報処理装置をスリープ状態に移行させる手段と、前記判定手段がスリープ状態に移行させてはいけないと判定した場合に、前記ポートに接続される外部機器と前記コントローラとの通信を禁止し、前記入力装置から前記プロセッサへの前記データの入力を無効化するロック手段とを具備することを特徴とする。
【発明の効果】
【０００８】
本発明によれば、本体とディスプレイユニットが分離した場合に、情報処理装置をシャットダウンすることなく、情報処理装置を保護することが可能になる。
【図面の簡単な説明】
【０００９】
【図１】本発明の一実施形態に係わる情報処理装置の外観を示す斜視図。
【図２】情報処理装置の本体とディスプレイユニットとを分離した状態を示す斜視図。
【図３】図１に示す情報処理装置のシステム構成を示すブロック図。
【図４】ユーティリティプログラムの構成を示すブロック図。
【図５】ユーティリティプログラムおよびオペレーティングシステムによる処理の手順を示すフローチャート。
【図６】ユーティリティプログラムおよびオペレーティングシステムによる処理の手順を示すフローチャート。
【図７】複数の本体に対して１台のディスプレイユニットを組み合わせた状態を示す図。
【発明を実施するための形態】
【００１０】
本発明の実施の形態を以下に図面を参照して説明する。
【００１１】
図１は、本発明の一実施形態に係わる情報処理装置の外観を示す斜視図である。図１に示すように、この情報処理装置は、例えば、バッテリ駆動可能なノートブック型の携帯型パーソナルコンピュータ１０として実現されている。
【００１２】
本コンピュータ１０は、本体１１およびディスプレイユニット１２とから構成されている。本体１１の上面には、キーボード１３、本コンピュ−タ１０を電源オン／電源オフするためのパワーボタンスイッチ１４およびタッチパッド１５などが設けられている。本体１１の例えば背面または側面には、外部デバイスを接続するための接続ポートが配置されている。ディスプレイユニット１２の内面にはＬＣＤ（Liquid Crystal Display）１７から構成される表示装置が組み込まれており、そのＬＣＤ１７の表示画面は、ディスプレイユニット１２のほぼ中央に位置されている。ディスプレイユニット１２は、本体１１に支持され、その本体１１に対して本体１１の上面が露出される開放位置と本体１１の上面を覆う閉塞位置との間を回動自在に取り付けられている。
【００１３】
また、図２に示すように、本体１１とディスプレイユニット１２とは分離することができる。本体１１とディスプレイユニット１２とが分離されている場合、本体１１からディスプレイユニット１２に対して、ＬＣＤ１７に映像を表示するための信号を無線通信によって伝送する。
【００１４】
次に、図３を参照して、本コンピュータのシステム構成について説明する。  
本コンピュータは、図３に示されているように、ディスプレイユニット１２、ＣＰＵ１１１、ノースブリッジ１１２、主メモリ１１３、グラフィクスコントローラ１１４、ワイヤレスＨＤＭＩトランシーバ１１５、検出回路１１６、サウスブリッジ１１９、ＢＩＯＳ−ＲＯＭ１２０、ハードディスクドライブ１２１、エンベデッドコントローラ／キーボードコントローラＩＣ１２４、および電源コントローラ１２５等を備えている。
【００１５】
ハードディスクドライブ１２１には、オペレーティングシステム（ＯＳ）やＢＩＯＳ更新プログラム等の各種プログラムを実行するためのコードが格納されている。
【００１６】
ＣＰＵ１１１は、本コンピュータの動作を制御するために設けられたプロセッサであり、ハードディスクドライブ１２１から主メモリ１１３にロードされる、オペレーティングシステム２０１、およびユーティリティプログラム２０２を含む各種アプリケーションプログラムを実行する。
【００１７】
また、ＣＰＵ１１１は、ＢＩＯＳ（Basic Input/Output System）−ＲＯＭ１２０に格納されたＢＩＯＳプログラムも実行する。ＢＩＯＳプログラムはハードウェア制御のためのプログラムである。
【００１８】
ノースブリッジ１１２はＣＰＵ１１１のローカルバスとサウスブリッジ１１９との間を接続するブリッジデバイスである。ノースブリッジ１１２には、主メモリ１１３をアクセス制御するメモリコントローラも内蔵されている。また、ノースブリッジ１１２には、ＡＧＰバスなどを介してグラフィクスコントローラ１１４との通信を実行する機能も有している。
【００１９】
グラフィクスコントローラ１１４は、本コンピュータのディスプレイモニタとして使用されるＬＣＤ１７を制御する表示コントローラである。このグラフィクスコントローラ１１４はビデオメモリ１１４Ａを有しており、ＯＳ／アプリケーションプログラムによってビデオメモリ１１４Ａに書き込まれた表示データから、ディスプレイユニット１２のＬＣＤ１７に表示すべき表示イメージを形成する映像信号を生成する。
【００２０】
ワイヤレスＨＤＭＩトランシーバ１１５は、ワイヤレスＨＤＭＩの仕様に基づいて映像信号をディスプレイユニット１２に伝送する。ワイヤレスＨＤＭＩトランシーバ１１５は、本体１１とディスプレイユニット１２とが分離している場合に、映像信号を無線通信によって伝送する。なお、ワイヤレスＨＤＭＩの仕様の代わりに、ワイヤレスＵＳＢの仕様に基づいて映像信号を伝送しても良い。
【００２１】
検出回路１１６は、本体１１からのディスプレイユニット１２の分離、および本体１１へのディスプレイユニット１２への結合を検出する。検出回路１１６が分離を検出している場合に、グラフィックスコントローラ１１４が生成した映像信号はワイヤレスＨＤＭＩトランシーバ１１５によってディスプレイユニット１２に伝送される。検出回路１１６が、本体１１とディスプレイユニット１２との結合を検出している場合、映像信号は有線通信によって本体１１からディスプレイユニット１２に伝送される。
【００２２】
サウスブリッジ１１９は、ＬＰＣバス上のデバイスを制御する。また、サウスブリッジ１１９は、ＨＤＤ１２１を制御するためのＩＤＥコントローラを内蔵している。さらに、サウスブリッジ１１９は、ＢＩＯＳ−ＲＯＭ１２０をアクセス制御するための機能も有している。また、更にサウスブリッジ１１９は、ＵＳＢ規格をサポートした機器とのデータの伝送の制御を行うためのＵＳＢコントローラ１１９Ａを有している。ＵＳＢコントローラ１１９Ａには、ＵＳＢデバイスのコネクタが挿抜可能なＵＳＢポート１１９Ｂが接続される。ＵＳＢポート１１９Ｂには、ＵＳＢメモリ２１０等が挿入される。
【００２３】
エンベデッドコントローラ／キーボードコントローラＩＣ（ＥＣ／ＫＢＣ）１２４は、電力管理のためのエンベデッドコントローラと、キーボード（ＫＢ）１３およびタッチパッド１５を制御するためのキーボードコントローラとが集積された１チップマイクロコンピュータである。このエンベデッドコントローラ／キーボードコントローラＩＣ（ＥＣ／ＫＢＣ）１２４は、ユーザによるパワーボタン１４の操作に応じて本コンピュータ１０をパワーオン／パワーオフする機能を有している。
【００２４】
本体１１とディスプレイユニット１２とが分離された状態では、本コンピュータ１０を制御することは困難となる。しかしながら、ディスプレイユニットが本体から分離された状態でそのまま放置しておくことは、セキュリティ上危険である。例えば、本体１１に設けられたＵＳＢポートにＵＳＢディスプレイやＵＳＢメモリ２１０を挿入して、本コンピュータ１０を制御して、ハードディスクドライブ１２１に格納されているデータを吸い出される恐れがある。また、セキュリティ上危険であるからといって、無作為に本コンピュータ１０をシャットダウンするのでは、作業中のデータを失う危険性がある。
【００２５】
本装置のユーティリティプログラム２０２は、ディスプレイユニット１２が本体１１から分離した場合に、本コンピュータ１０をセキュアな状態に移行させる。また、ユーティリティプログラム２０２、若しくはオペレーティングシステム２０１は、本体１１とディスプレイユニット１２とが結合した場合には、認証処理を行った後に、本コンピュータ１０をセキュアな状態に移行させる前の元の状態に戻す。
【００２６】
次に、ユーティリティプログラム２０２の構成を図４を参照して説明する。  
図４に示すように、ユーティリティプログラム２０２は、判定モジュール３０１、ロック指示モジュール３０２、スリープ指示モジュール３０３、設定ファイル３０４、認証処理モジュール３１１、ロック解除指示モジュール３１２等を備えている。
【００２７】
判定モジュール３０１は、検出回路１１６がディスプレイユニット１２の分離を検出した場合に、本コンピュータ１０の操作をロックするか、本コンピュータ１０をスリープ状態にするかを判定する。
【００２８】
設定ファイル３０４には、ディスプレイユニット１２が分離した場合に、コンピュータ１０をスリープ状態へ移行するか否かを示す設定が記述されている。設定ファイル３０４の設定内容は、ユーザが変更することが可能である。
【００２９】
判定モジュール３０１は、設定ファイル３０４に記録されている設定を読み出す。そして、設定がスリープ状態への移行を示している場合、本コンピュータ１０をスリープ状態に移行させるか否かを判別する。ここで例えば、判定モジュール３０１は、ＣＰＵ１１１の使用率が設定値（例えば２０％）より低い場合に、スリープ状態に移行させると判断する。判定モジュール３０１は、設定がスリープ状態への移行を示していない場合、またはＣＰＵ１１１の使用率が設定値より低くない場合に、ポートをロックさせると判断する。ＣＰＵ１１１の使用率が設定値より低くない場合は、何らかの処理を行っている最中であると考えられ、スリープによって処理を中断されたくない場合と考えられるためである。
【００３０】
ロック指示モジュール３０２は、オペレーティングシステム２０１に対して、本コンピュータ１０の操作をロックするための処理を行う。ロック指示モジュール３０２は、本コンピュータ１０の操作をロックするために、外部ポートであるＵＳＢポート１１９Ｂを経由したＵＳＢメモリ２１０とコントローラ例えばＵＳＢコントローラ１１９Ａとの通信を禁止するように、オペレーティングシステム２０１に指示を発行する。また、ロック指示モジュール３０２は、キーボード１３やタッチパッド１５等の本コンピュータ１０に信号を入力する入力装置３２１からの入力を無効にするようにオペレーティングシステム２０１に指示する。
【００３１】
指示に応じてオペレーティングシステム２０１は、通信の禁止、および入力の無効化を行う。通信を禁止することで本コンピュータ１０内のデータが吸い出されることを防止することができる。また、入力装置３２１からの信号の入力を無効化することで、通信の禁止を解除することを防止することができる。
【００３２】
スリープ指示モジュール３０３は、オペレーティングシステム２０１に対して、本コンピュータ１０をスリープ状態にするように指示する。オペレーティングシステム２０１は、スリープ指示モジュール３０３からの指示に応じて本コンピュータ１０をスリープ状態にする。
【００３３】
本コンピュータ１０の操作をロックした状態で検出回路１１６がディスプレイユニット１２の結合を検出した場合に、ロック解除指示モジュール３１２は、オペレーティングシステム２０１に対して、入力装置３２１からの入力を無効にしないように指示する。そして、認証処理モジュール３１１は認証処理を実行する。認証処理モジュール３１１が認証処理に成功した場合に、認証処理モジュール３１１はロック解除指示モジュール３１２にポートのロックを解除するための指示を発行するように指示する。ロック解除指示モジュール３１２は、認証処理モジュール３１１からの指示に応じて、オペレーティングシステム２０１に対して、コントローラ１１９Ａとポート１１９Ｂに接続されるＵＳＢメモリ２１０との通信を許可するように指示する。
【００３４】
また、スリープ状態で検出回路１１６がディスプレイユニット１２の結合を検出した場合、本コンピュータ１０をスリープ状態から復帰させるための命令がオペレーティングシステム２０１に入力される。スリープ状態から復帰した後、オペレーティングシステム２０１は、認証処理を行い、認証処理に成功した場合にユーザによる本コンピュータ１０の操作を許可する。このオペレーティングシステム２０１のスリープ状態からの復帰後の認証処理の機能は元来オペレーティングシステムが備えている機能である。
【００３５】
次に、図５のフローチャートを参照して、ユーティリティプログラム２０２等が行う処理の手順を説明する。  
検出回路１１６がディスプレイユニット１２の本体１１からの分離を検出すると（ステップＳ１１のＹｅｓ）、判定モジュール３０１は、設定ファイル３０４を参照し、本コンピュータ１０をスリープ状態に移行させる設定であるか否かを判断する（ステップＳ１２）。スリープ状態に移行させる設定であると判断した場合（ステップＳ１２のＹｅｓ）、判定モジュール３０１は、本コンピュータ１０をスリープ状態に移行させても良いか否かを判定する（ステップＳ１３）。
【００３６】
スリープ状態に移行させても良いと判断した場合（ステップＳ１３のＹｅｓ）、判定モジュール３０１はスリープ指示モジュール３０３に対してスリープ状態に移行させるための命令を発行するように指示する（ステップＳ１４）。スリープ指示モジュール３０３は、オペレーティングシステム２０１に対して、本コンピュータ１０をスリープ状態にするように指示する。オペレーティングシステム２０１は、スリープ指示モジュール３０３からの指示に応じて本コンピュータ１０をスリープ状態にする（ステップＳ１５）。
【００３７】
スリープ状態に移行させる設定ではないと判断した場合（ステップＳ１２のＮｏ）、或いはスリープ状態に移行させてはいけないと判断した場合（ステップＳ１３のＮｏ）、判定モジュール３０１は、ロック指示モジュール３０２に対して、本コンピュータ１０の操作をロックするための指令を発行するように指示する（ステップＳ２１）。ロック指示モジュール３０２は、オペレーティングシステム２０１に対して、判定モジュール３０１からの指示に応じてコントローラ１１９Ａとポート１１９Ｂに接続される外部機器（例えばＵＳＢメモリ２１０）との通信を禁止するように指示する。オペレーティングシステム２０１は、コントローラ１１９Ａとポート１１９Ｂに接続される外部機器との通信を禁止する（ステップＳ２２）。また、ロック指示モジュール３０２は、オペレーティングシステム２０１に対してキーボード１３やタッチパッド１５等の入力装置３２１から本コンピュータ１０への信号の入力を無効にするように指示する（ステップＳ２３）。オペレーティングシステム２０１は、ロック指示モジュール３０２からの指示に応じて、入力装置３２１からの入力を無効にする。
【００３８】
以上の処理で、本体１１からディスプレイユニット１２が分離した場合に、スリープ状態へ移行させるか、または本コンピュータ１０の操作をロックすることによって、本コンピュータ１０のデータが吸い出されることを防止することができる。
【００３９】
次に、ポートが使用できない状態からディスプレイユニット１２が結合したときの処理の手順を説明する。
【００４０】
検出回路１１６がディスプレイユニット１２の結合を検出すると（ステップＳ３１のＹｅｓ）、ロック解除指示モジュール３１２は、オペレーティングシステム２０１に入力装置３２１からの本コンピュータ１０への信号の入力の無効化を解除するように指示する。オペレーティングシステム２０１、入力装置３２１からの本コンピュータ１０への信号の入力の無効化を解除する（ステップＳ３２）。
【００４１】
認証処理モジュール３１１は、認証処理を行うためにＬＣＤ１７にパスワードの入力を促すウィンドウを表示する。入力されたパスワードが予め登録されているパスワードに一致したら（ステップＳ３３のＹｅｓ）、認証処理モジュール３１１は、ロック解除指示モジュール３１２にオペレーティングシステム２０１に対して、本コンピュータ１０の操作のロックを解除するための指示を発行するように指示する（ステップＳ３４）。ロック解除指示モジュール３１２は、オペレーティングシステム２０１に対して、認証処理モジュール３１１からの指示に応じて、コントローラ１１９Ａとポート１１９Ｂに接続される外部機器との通信を許可するように指示する。オペレーティングシステム２０１は、コントローラ１１９Ａと外部ポート１１９Ｂに接続される外部機器との通信を許可する（ステップＳ３５）。
【００４２】
また、スリープ状態でディスプレイユニット１２が結合した場合、オペレーティングシステム２０１の機能によって認証処理を行い、認証処理が成功した場合にユーザが本コンピュータ１０を使用することができる。
【００４３】
以上の処理で、ディスプレイユニット１２が結合した場合に、再び正当なユーザが使用できるようになる。
【００４４】
なお、上記説明では、本体１１とディスプレイユニット１２とが１対１で対応している場合について述べた。しかし、１台のディスプレイユニット１２に対して複数の本体１１を組み合わせても良い。
【００４５】
例えば、図６に示すように、ディスプレイユニット１２に対して３台のコンピュータＡ〜Ｃが準備されているものとする。
【００４６】
１．  先ず、ディスプレイユニット１２とコンピュータＡの本体１１Ａとを組み合わせて使用する。コンピュータＡは、負荷の高い処理を行っている。  
２．その間、ディスプレイユニット１２とコンピュータＢの本体１１Ｂとを組み合わせて、コンピュータＢによって別の処理を行う。
【００４７】
３．コンピュータＡは、引き続き処理を行うが、２の状態でディスプレイユニット１２が無いため、コンピュータＡの本体１１Ａを操作することが困難となる。一方、この状態では、第３者が本体１１Ａを操作してコンピュータＡに不正にアクセスすることは可能である。そのため、上記で説明した機能を適用して、コンピュータＡに対する第３者からのアクセスを抑制するため、外部ポート１１９Ｂを経由した通信および入力装置３２１の使用をロックし、本体１１Ａの操作をロックする。
【００４８】
４．また、コンピュータＢでの作業を終え、ディスプレイユニット１２とコンピュータＣの本体１１Ｃとを組み合わせて、別のデータを管理するコンピュータＣで作業を行う。  
５．コンピュータＢをオンしておく必要はないため、ディスプレイユニット１２を本体１１Ｂから切り離す際、自動的にコンピュータＢをユーザの指定したスリープ状態に移行させる。
【００４９】
６．再度、コンピュータＡを使用する際、ディスプレイユニット１２と本体１１Ａとを組み合わせて使用する。  
７．ディスプレイユニット１２が本体１１Ａに結合された際、ユーザに認証行為を促し、正規ユーザかどうかの確認を行う。  
８．認証が成功した場合、外部ポート１１９Ｂを経由する通信および入力装置３２１からの入力のロックを解除し、本体１１Ａへのアクセスを許可する。  
なお、上記実施形態では、ＵＳＢによるコントローラと外部機器の通信を行う例を示した。しかし、ＩＥＥＥ１３９４、ＥｘｐｒｅｓｓＣａｒｄ、イーサネット（登録商標）、ｅＳＡＴＡ、ＳＤ規格等のコントローラと外部機器の通信を行うものに対しても適用することができる。
【００５０】
上記の通り、ユーザは、１つのディスプレイユニット１２を複数のコンピュータで利用する場合であっても、利便性を損なうことなく、セキュアに使用することが可能である。
【００５１】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００５２】
１１９Ａ…ＵＳＢコントローラ，１１９Ｂ…ＵＳＢポート，２０１…オペレーティングシステム，２０２…ユーティリティプログラム，２１０…ＵＳＢメモリ，３０１…判定モジュール，３０２…ロック指示モジュール，３０３…スリープ指示モジュール，３０４…設定ファイル，３１１…認証処理モジュール，３１２…ロック解除指示モジュール，３２１…入力装置。
【図１】
2010277449.tif 000003
【図２】
2010277449.tif 000004
【図３】
2010277449.tif 000005
【図４】
2010277449.tif 000006
【図５】
2010277449.tif 000007
【図６】
2010277449.tif 000008
【図７】
2010277449.tif 000009
【手続補正書】
【提出日】平成22年7月15日(2010.7.15)
【手続補正１】
【補正対象書類名】特許請求の範囲
【補正対象項目名】全文
【補正方法】変更
【補正の内容】
【特許請求の範囲】
【請求項１】
ディスプレイユニットが分離可能な情報処理装置であって、
演算処理を行うプロセッサと、
前記プロセッサにデータを入力する入力装置と、
外部機器と通信を行うコントローラと、
前記ディスプレイユニットの結合および分離を検出する検出回路と、
前記検出回路が前記分離を検出した場合に、前記情報処理装置をスリープ状態に移行させても良いか否かを判定する判定手段と、
前記判定手段がスリープ状態に移行させて良いと判定した場合に、前記情報処理装置をスリープ状態に移行させる手段と、
前記判定手段がスリープ状態に移行させてはいけないと判定した場合に、前記外部機器と前記コントローラとの通信を禁止し、前記入力装置から前記プロセッサへのデータの入力を無効化するロック手段とを具備する情報処理装置。
【請求項２】
前記通信が禁止され、前記入力が無効化されている状態で前記ディスプレイユニットの結合が検出された場合に、前記入力を有効にする解除手段と、
前記解除手段が前記入力を有効にした状態で認証処理を実行する認証処理手段と、
前記認証処理が成功した場合に、前記外部機器と前記コントローラとの通信を許可する通信許可手段とを更に具備する請求項１に記載の情報処理装置。
【請求項３】
前記情報処理装置がスリープ状態で前記ディスプレイユニットの結合が検出された場合に、前記情報処理装置をスリープ状態から復帰させ、認証処理を行う認証処理手段を更に具備し、
前記認証処理が成功した場合に、前記情報処理装置の使用を許可する手段とを更に具備する請求項１に記載の情報処理装置。
【請求項４】
前記判定手段は、前記プロセッサの使用率が設定値より低い場合に、前記情報処理装置をスリープ状態にして良いと判定する請求項１に記載の情報処理装置。
【請求項５】
前記分離が検出されている場合に前記ディスプレイユニットに対して映像信号を無線通信によって伝送する映像信号無線伝送部を更に具備する請求項１に記載の情報処理装置。
【請求項６】
前記映像信号無線伝送部は、ワイヤレスＨＤＭＩまたはワイヤレスＵＳＢの仕様の何れかに基づいて前記映像信号を伝送する、請求項５に記載の映像処理装置。
【請求項７】
ディスプレイユニットが分離可能であって、演算処理を行うプロセッサを有する情報処理装置の制御方法であって、
前記ディスプレイユニットの分離を検出し、
前記分離の検出に応じて、前記情報処理装置をスリープ状態に移行させて良いか否かを判定し、
前記スリープ状態に移行させて良いと判定した場合に、前記情報処理装置をスリープ状態にし、
前記スリープ状態に移行させてはいけないと判定した場合に、前記情報処理装置に接続される外部機器と前記情報処理装置に設けられたコントローラとの通信を禁止し、入力装置から前記プロセッサへのデータの入力を無効化する
情報処理装置の制御方法。
【請求項８】
前記通信が禁止され、前記入力が無効化されている状態で前記ディスプレイユニットの結合を検出した場合に、前記入力を有効にして認証処理を実行し、
前記認証処理が成功した場合に、前記外部機器と前記コントローラとの通信を許可する
請求項７に記載の情報処理装置の制御方法。
【請求項９】
前記情報処理装置がスリープ状態で前記ディスプレイユニットの結合を検出した場合に、前記情報処理装置をスリープ状態から復帰させて認証処理を実行し、
前記認証処理が成功した場合に、前記情報処理装置の使用を許可する
請求項７に記載の情報処理装置の制御方法。
【請求項１０】
前記情報処理装置をスリープ状態に移行させて良いか否かの判定は、前記プロセッサの使用率に基づいて行われる、請求項７に記載の情報処理装置の制御方法。
【手続補正２】
【補正対象書類名】明細書
【補正対象項目名】０００７
【補正方法】変更
【補正の内容】
【０００７】
実施形態に係わる情報処理装置は、ディスプレイユニットが分離可能な情報処理装置であって、演算処理を行うプロセッサと、前記プロセッサにデータを入力する入力装置と、外部機器と通信を行うコントローラと、前記ディスプレイユニットの結合および分離を検出する検出回路と、前記検出回路が前記分離を検出した場合に、前記情報処理装置をスリープ状態に移行させても良いか否かを判定する判定手段と、前記判定手段がスリープ状態に移行させて良いと判定した場合に、前記情報処理装置をスリープ状態に移行させる手段と、前記判定手段がスリープ状態に移行させてはいけないと判定した場合に、前記外部機器と前記コントローラとの通信を禁止し、前記入力装置から前記プロセッサへのデータの入力を無効化するロック手段とを具備する。